(57)【要約】【課題】電子機器及び記録再生方法を提供する。【解決手段】実施形態の電子機器は、記録部と、記録制御部と、表示制御部と、を具備する。記録部は、第１の解像度かつ第１の符号化方式で圧縮符号化された第１の映像を再生するための第１の映像情報を放送伝送路より受けとり記録する。記録制御部は、第１の解像度より高い第２の解像度かつ第２の符号化方式でエンコードされた第２の映像を再生するため、第２の映像情報を放送伝送路またはネットワーク伝送路により受けとり、第１の映像情報と独立に、記録部に記録するとともに、第２の映像情報の記録に関する情報を保持する。表示制御部は、記録部が保持する第２の映像情報の記録に関する情報を用いて第２の解像度かつ第２の符号化方式でエンコードされた第２の映像を再生する際に、第２の映像情報が記録されていることを表示部に表示する。【選択図】図２
2016123008.tif 000002
【特許請求の範囲】
【請求項１】
第１の解像度かつ第１の符号化方式で圧縮符号化された第１の映像を再生するための第１の映像情報を放送伝送路より受けとり記録する記録部と、
前記第１の解像度より高い第２の解像度かつ第２の符号化方式でエンコードされた第２の映像を再生するため、第２の映像情報を放送伝送路またはネットワーク伝送路により受けとり、前記第１の映像情報と独立に、前記記録部に記録するとともに、前記第２の映像情報の記録に関する情報を保持する記録制御部と、
前記記録部が保持する前記第２の映像情報の記録に関する情報を用いて前記第２の解像度かつ前記第２の符号化方式でエンコードされた前記第２の映像を再生する際に、前記第２の映像情報が記録されていることを表示部に表示する表示制御部と、
を具備する電子機器。
【請求項２】
前記表示制御部は、前記第２の映像の再生が指示された場合に、前記記録部が保持する前記第２の映像情報の記録に関する情報を参照して、前記第１の映像情報に対応する前記第２の映像情報が記録されていることを前記表示部に表示する請求項１の電子機器。
【請求項３】
前記表示制御部は、前記第１の映像の再生が指示された場合に、前記記録部が保持する前記第２の映像情報の記録に関する情報を参照して、前記第１の映像情報に対応する前記第２の映像情報が記録されていることを前記表示部に表示する請求項１の電子機器。
【請求項４】
前記表示制御部は、前記記録部が保持する前記第２の映像情報の記録に関する情報を参照して、前記第１の映像情報に対応する前記第２の映像情報が記録されている区間の情報を、前記表示部に表示する請求項１−３のいずれかの電子機器。
【請求項５】
前記表示制御部は、前記第２の映像の再生が指示された場合に、前記記録部が保持する前記第２の映像情報の記録に関する情報を参照し、前記第１の映像情報に対応する前記第２の映像情報が記録されていないことを検出した場合、前記第２の映像情報が別の伝送路において供給されていることを検出する再生する請求項２の電子機器。
【請求項６】
前記表示制御部は、前記第１の映像の再生が指示された場合に、前記記録部が保持する前記第２の映像情報の記録に関する情報を参照し、前記第１の映像情報に対応する前記第２の映像情報が記録されていないことを検出した場合、前記第２の映像情報が別の伝送路において供給されていることを検出する再生する請求項３の電子機器。
【請求項７】
第１の解像度かつ第１の符号化方式で圧縮符号化された第１の映像を再生するための第１の映像情報を放送伝送路より受けとり記録し、
前記第１の解像度より高い第２の解像度かつ第２の符号化方式でエンコードされた第２の映像を再生するため、第２の映像情報を放送伝送路またはネットワーク伝送路により受けとり、前記第１の映像情報と独立に、前記記録部に記録するとともに、前記第２の映像情報の記録に関する情報を保持し、
前記記録部が保持する前記第２の映像情報の記録に関する情報を用いて前記第２の解像度かつ前記第２の符号化方式でエンコードされた前記第２の映像を再生する際に、前記第２の映像情報が記録されていることを表示部に表示する
記録再生方法。
【請求項８】
前記第２の映像の再生が指示された場合に、記録部が保持する前記第２の映像情報の記録に関する情報を参照して、前記第１の映像情報に対応する前記第２の映像情報が記録されていることを前記表示部に表示する請求項７の記録再生方法。
【請求項９】
前記第１の映像の再生が指示された場合に、記録部が保持する前記第２の映像情報の記録に関する情報を参照して、前記第１の映像情報に対応する前記第２の映像情報が記録されていることを前記表示部に表示する請求項７の記録再生方法。
【発明の詳細な説明】
【技術分野】
【０００１】
この発明は、電子機器及び記録再生方法に関する。
【背景技術】
【０００２】
現在、デジタルテレビジョン（ＨＤ（High Definition、高精細度）ＴＶ）放送においては、水平方向画素数が１９２０または１４４０、垂直方向画素数が１０８０、映像周波数（フレームレート）が６０Ｈｚの映像信号が利用されている。
【０００３】
また、ＨＤＴＶに比較して画素数が４倍（３８４０×２１６０）、フレームレート６０Ｈｚの４Ｋ（ＵＨＤ（Ultra High Definition）、超高精細度）放送や、１６倍（７６８０×４３２０）、フレームレート１２０Ｈｚの８Ｋ（８ＫＵＨＤ）放送についても、標準化が進められている。
【０００４】
なお、４Ｋ放送や８Ｋ放送についても、現在広く普及しているテレビジョン受信装置によりＨＤＴＶ放送の受信が可能であることが求められる。このため、４Ｋまたは８Ｋ放送においては、映像信号を、実質的にＨＤＴＶ放送に相当する映像信号からなる基本映像情報と４Ｋ（８Ｋ）放送に対応する映像信号を含む拡張映像情報とに分離し、それぞれを、別の伝送路で伝送する方法が提案されている。
【０００５】
しかしながら、分離した拡張映像情報を録画する場合についての詳細は、標準化が完了していない。例えば、基本映像情報と拡張映像情報とを用いて、４Ｋ（８Ｋ）放送に対応する超高精細度（ＵＨＤ）映像信号そのものを記録する方法や、基本映像情報と拡張映像情報とを別々に記録する方法が提案されている。
【先行技術文献】
【特許文献】
【０００６】
【特許文献１】特開２００５−３５４５７０号公報
【発明の概要】
【発明が解決しようとする課題】
【０００７】
基本映像情報と拡張映像情報とを用いて、４Ｋ（８Ｋ）放送に対応する超高精細度（ＵＨＤ）映像信号そのものを記録する方法では、拡張映像情報（あるいは基本映像情報の）一部が欠落した場合、記録が終了する。
【０００８】
基本映像情報と拡張映像情報とを別々に記録する場合、拡張映像情報が基本映像情報と別の伝送路で伝送されることにより、全ての基本映像情報に対応する拡張映像情報が伝送されるかは、明確ではない。また、伝送元が全ての拡張映像情報を伝送したとしても、伝送路の状況、例えば豪雨や降雪、あるいはネットワークのトラフィックの増大、等に起因して、伝送元が伝送する全ての拡張映像情報を取得できない虞がある。
【０００９】
なお、基本映像情報と拡張映像情報とを別々に記録する場合は、基本映像情報については、対応する拡張映像情報が存在しない場合においても、記録と再生が可能であることが求められる。
【００１０】
また、拡張映像情報が記録されている場合、できる限り、基本映像情報と拡張映像情報とを用いて、４Ｋ（８Ｋ）放送に対応する超高精細度（ＵＨＤ）映像を再生できることが望まれる。その場合、基本映像情報のみを用いるＨＤ映像と超高精細度（ＵＨＤ）映像との切り替え時の映像の途切れ、等が最小であることが好ましい。
【００１１】
この発明の目的は、基本映像情報のみ、または基本映像情報と拡張映像情報とを用いるテレビジョン放送を受信する電子機器及び記録再生方法を提供することである。
【課題を解決するための手段】
【００１２】
実施形態の電子機器は、記録部と、記録制御部と、表示制御部と、を具備する。記録部は、第１の解像度かつ第１の符号化方式で圧縮符号化された第１の映像を再生するための第１の映像情報を放送伝送路より受けとり記録する。記録制御部は、前記第１の解像度より高い第２の解像度かつ第２の符号化方式でエンコードされた第２の映像を再生するため、第２の映像情報を放送伝送路またはネットワーク伝送路により受けとり、前記第１の映像情報と独立に、前記記録部に記録するとともに、前記第２の映像情報の記録に関する情報を保持する。表示制御部は、前記記録部が保持する前記第２の映像情報の記録に関する情報を用いて前記第２の解像度かつ前記第２の符号化方式でエンコードされた前記第２の映像を再生する際に、前記第２の映像情報が記録されていることを表示部に表示する。
【図面の簡単な説明】
【００１３】
【図１】実施形態に係る映像信号送受信システムの一例を示す。
【図２】実施形態に係る記録装置（電子機器）の一例を示す。
【図３】実施形態に係る記録装置における情報記録時の動作の一例を示す。
【図４】実施形態に係る記録装置が記録する情報の変化とその変化の状態の記録の一例を示す。
【図５】実施形態に係る記録装置が記録する情報の変化の状態の表示の一例を示す。
【図６】実施形態に係る記録装置が記録する情報の変化の状態の表示の一例を示す。
【図７】実施形態に係る記録装置が記録する情報の変化の状態の表示の一例を示す。
【図８】実施形態に係る記録装置が記録した情報の表示の一例を示す。
【図９】実施形態に係る記録装置における情報記録時の動作の一例を示す。
【図１０】実施形態に係る記録装置における情報記録時の動作の一例を示す。
【図１１】実施形態に係る記録装置の基本映像情報及び拡張映像情報の処理ブロックの一例を示す。
【発明を実施するための形態】
【００１４】
以下、図面を参照して、本発明の実施の一形態について説明する。
【００１５】
図１は、実施形態に係る映像信号送受信システムの一例を示す。
【００１６】
図１が示す画像処理システムにおいて、電子機器（例えばテレビジョン放送受信装置、以下、テレビ装置と称する）１は、アンテナＡＮＴを通じて、番組供給元である放送局が送信する放送波（地上波及び衛星波）を受信する。なお、テレビ装置１が受信する放送波は、現在広く普及している２Ｋ（ＨＤＴＶ（水平方向画素数が１９２０または１４４０、垂直方向画素数が１０８０、映像周波数（フレームレート）が６０Ｈｚの映像信号））放送の受信が可能である。また、テレビ装置１が受信する放送波は、２Ｋ（ＨＤ）放送に比較して画素数が４倍（３８４０×２１６０）、フレームレート６０Ｈｚの４Ｋ放送（ＵＨＤ（Ultra High Definition）、超高精細度放送）であってもよい。テレビ装置１が受信する放送波はまた、２Ｋ（ＨＤ）放送に比較して画素数が１６倍（７６８０×４３２０）、フレームレート１２０Ｈｚの８Ｋ放送（８ＫＵＨＤ放送）であってもよい。
【００１７】
なお、４Ｋ放送あるいは８Ｋ放送においては、映像信号（放送波）を、第一の映像情報（基本映像情報）と第二の映像情報（拡張映像情報）とに分離し、２チャンネル分の帯域幅の占有により送信する方式が利用可能である。基本映像情報（第一の映像情報）は、実質的に、２Ｋ（ＨＤ）放送信号に相当し、そのままの状態で２Ｋ（ＨＤ）放送波として利用可能であることが好ましい。拡張映像情報（第二の映像情報）は、基本映像情報と独立して用意され、基本映像情報とともに利用することにより４Ｋ（８Ｋ）映像を再現するために利用可能である。この場合、基本映像情報が１チャンネル分の帯域幅を、拡張映像情報が、別の１チャンネル分の帯域幅を、それぞれ、占有する。しかしながら、この方式によれば、現在広く普及している２Ｋ（ＨＤ）放送を受信する受信機（テレビジョン受信装置）における２Ｋ（ＨＤ）放送の受信には、なんら影響を及ぼすことがない。
【００１８】
テレビ装置１はまた、外部映像供給元、例えばビデオカメラ装置や画像の撮影が可能な携帯可能な端末装置２００１からの画像を取得可能である。その場合、画像の取得は、例えば近距離無線通信方式を用いるものであってもよいし接続用のケーブルを用いる有線伝送方式を用いるものであってもよい。また、テレビ装置１は、ネットワークＮＴＷと接続し、ネットワークＮＴＷ上に位置するサービスサーバ（以下、サーバと称する）ＳＶから映像信号や映像情報を受け取ることができる。なお、テレビ装置１は、パーソナルコンピュータ（ＰＣ）、ホームサーバ、レコーダあるいはＳＴＶ（Set Top Box）、レコーダやＳＴＶと接続するモニタ装置、等であってもよい。また、以降の説明においては、テレビ装置１は、２Ｋ（２Ｋ１Ｋまたは１９２０×１０８０）、４Ｋ（４Ｋ２Ｋまたは３８４０×２１６０）もしくは８Ｋ（８Ｋ４Ｋまたは７６８０×４３２０）放送の少なくとも１つの放送を受信し、映像及び音声（音響）を再生できる。但し、以下では、説明の便宜上、２Ｋ／４Ｋ対応のテレビ装置として記載する。
【００１９】
なお、以下の説明において、テレビ装置１が受信し、映像及び音声を再生する放送は、空間を伝播する電波として放送事業者（放送局）が提供するもの、あるいはケーブル（光ファイバを含む）網やＩＰ（Internet Protocol）網等のネットワークを通じて配信事業者が配信するもの等、を含む。また、放送は、映像と音声または音楽もしくはその両者を含み、一定時間（放送時間）を単位とするさまざまな番組を、提供する形態を示す。なお、番組は、コンテンツもしくはストリームあるいはタイトルと呼称する場合もある。また、映像は、動画や静止画、あるいはテキスト（コード化された符号列で示される文字や記号等で表される情報）ならびにその任意の組み合わせを含む。また、２つの伝送路（例えば衛星波）を通じて取得する番組（放送）のうちの１つ目の伝送路（例えば衛星波）で受けつける番組を、メインチャンネル、メインサービス、メインチャンネルＴＳ（Transport Stream）、主映像信号、ＨＤ映像信号、ＨＤＴＶ放送信号、２Ｋ映像信号現行サービスもしくは現行放送信号、等と称する場合がある。また、２つの伝送路（例えば衛星波）を通じて取得する番組（放送）のうちの別の（２つ目の）伝送路で受けつける番組を、サブチャンネル、サブサービス、サブチャンネルＴＳ、高画質映像信号、４Ｋ映像信号、４Ｋ放送信号、拡張サービスもしくは拡張放送信号、等と称する場合がある。
【００２０】
図２は、テレビ装置の主要な構成の一例を示す。なお、テレビ装置は、後段に説明するハードディスク（ＨＤＤ）もしくは記憶装置に、受信した番組を記録できる。
【００２１】
テレビ装置１は、入力部（チューナ）１１、信号処理部（ＴＳ分離部）１２、映像出力処理ブロック２１、音声処理ブロック３１及び主制御ブロック５１、等を含む。
【００２２】
入力部１１には、空間波（地上波あるいは衛星波）を用いて提供される放送を受信するアンテナＡＮＴが接続する。入力部１１にはまた、外部映像供給元として、例えばＳＴＢ（Set Top Box）やビデオカメラ装置、等が接続する。なお、ビデオカメラ装置は、画像撮影が可能な携帯可能な端末装置、例えばタブレットＰＣ（Personal Computer）装置、等であってもよい。また、テレビ装置１におけるディスプレイ２６は、テレビ装置１と非接触で、映像記憶装置（レコーダ）や受信装置（ＳＴＢまたはチューナ）が、無線方式により伝送する番組を表示するものであってもよい。
【００２３】
入力部１１は、少なくとも２つのチャンネルの放送（番組）を受信可能に、例えば２Ｋ（ＨＤ）放送（空間波（地表波）を用いる放送）を受信可能なチューナを、２以上６（または９）程度含む。また、入力部１１は、放送衛星（Broadcasting Satellite）により放送されるＢＳ放送、あるいは通信衛星（Communication Satellite）を介して中継されるＣＳ放送を受信可能なチューナを、３程度含むことが好ましい。
【００２４】
入力部１１に入力する放送は、信号処理部（ＴＳ分離部）１２が、ＴＳ（Transport Stream）分離する。すなわち、信号処理部（ＴＳ分離部）１２は、映像信号（ビデオ）、音声信号（オーディオ）及び制御情報を分離する。なお、制御情報は、ＳＩ（Service Informationすなわち番組配列情報／ＰＳＩ（Program Specific Information））、ＮＩＴ（Network Information Table）、ＥＩＴ（Event Information Table）、等を含む。ＳＩは、ＴＳ（ストリーム）の分配規則や内容、スケジュールあるいはタイミング、等に関する記述を含む。ＳＩにおける記述は、例えば画像や音声、制御情報、等が格納されるパケットを、“０ｘＹＺ（ＹＺは所定の整数）”と定義するパケット値で示すＰＩＤ（Packet Identifier）、“ＰＩＤ＝０”において参照するＰＡＴ（Program Association Table）や“ＰＩＤ＝Ｐ”において参照するＰＭＴ（Program Map Table）、等を含む。ＮＩＴは、ストリームの分配（配信）情報に関する記述を含む。ＥＩＴは、番組情報、例えば番組名称や放送日時もしくは放送内容、等の番組に関連する記述を含む。
【００２５】
なお、ＥＩＴもしくはＮＩＴあるいはＰＡＴは、受信した放送（基本映像情報）すなわち２Ｋ（ＨＤ）放送信号に対応する拡張映像情報の有無（別のチャンネルあるいは異なる伝送方法により拡張映像情報が提供されているか否か）を示す“識別子あるいは記述”を含むことができる。また、拡張映像情報の有無（拡張映像情報が提供されているか否か）を示す“識別子あるいは記述”は、他の記述もしくは他の参照箇所の指定、等により、明示されてもよい。
【００２６】
なお、拡張映像情報は、テレビ装置１が受信する放送がＳＨＶＣ（Scalable High efiiciency Video Coding）符号化方式に準拠する４Ｋ放送である場合に、送信側において基本映像情報と分離される映像情報である。拡張映像情報は、詳細には、送信側におけるエンコード（ＳＨＶＣ符号化）時の予測画像の生成に、インター予測（動き補償予測）、イントラ予測（画面内予測）及びレイヤ間予測（画像間予測）の少なくとも１つが実行されて生成される映像情報である。より詳細には、ＳＨＶＣ符号化方式は、ＨＥＶＣ（High efiiciency Video Coding）方式で用いられる画面間予測（動き補償予測／インター予測）と画面内予測（イントラ予測）とに加え、画像間予測（レイヤ間予測）を伴う。レイヤ間予測は、２Ｋ（ＨＤ）映像を構成する基準レイヤすなわち基本映像から４Ｋ（超高精細度画質）映像の出力時に利用可能な拡張レイヤ（拡張映像）を、予測する。すなわち、ＳＨＶＣ符号化方式においては、映像の再生時に、復号した基本映像を超高精細度画質（４Ｋ映像）にアップコンバートした映像を予測の候補として利用することが可能である。これにより、ＳＨＶＣ符号化方式は、４Ｋ映像を直接圧縮する方式に比較して映像情報を高い圧縮効率で圧縮できていることになり、現在の放送網（放送帯域）をそのまま利用可能な４Ｋ映像の送受信を可能としている。
【００２７】
また、拡張映像情報は、上述の通り、２つの伝送路を通じて取得する番組のうちの別の伝送路で受けつける番組に相当し、送信側において、例えばネットワークを経由して取得するように、設定される場合もある。
【００２８】
映像出力処理ブロック２１及び音声処理ブロック３１には、それぞれ、ディスプレイ２６及びスピーカ３６が接続する。
【００２９】
映像出力処理ブロック２１は、図１１を用いて後段に説明する高精細画像復元部２０１が出力する再生映像信号に、ＯＳＤ（On Screen Display）処理部２４が生成したＯＳＤ映像を重畳し、表示制御部２５においてディスプレイ２６が表示可能な所定の解像度及び出力方式に変換する。なお、表示制御部２５の出力は、例えば外部で接続するモニタ装置、あるいは投影装置（プロジェクタ装置）等が接続可能な出力端２７に出力されてもよい。
【００３０】
音声処理ブロック３１は、音声（オーディオ）デコーダ３２、音声（オーディオ）処理部３３、遅延部３４及びＤ−Ａ（Digital to Analog）コンバータ３５、等を含む。
【００３１】
音声信号（オーディオ）については、音声処理部３３において音声デコーダ３２がデコードした音声信号を、スピーカ３６による好適な再生が可能な所定の形式に変換する。Ｄ−Ａコンバータ３５は、音声処理部３３が変換した音声信号を、アナログ音声出力信号に変換する。これにより、Ｄ−Ａコンバータ３５にスピーカ３６を接続した場合に、スピーカ３６が可聴音（アナログ音声（オーディオ）出力）を出力する。なお、Ｄ−Ａコンバータ３５の出力は、例えばＡＶ（Audio Visual）アンプ等が接続可能な出力端３７に分岐してもよい。また、Ｄ−Ａコンバータ３５に入力する音声信号は、コンテンツの種類に対応して、遅延部３４による所定量（時間）の遅延が制御される。例えばコンテンツがゲームである場合、遅延部３４が規定する遅延（時間）の大きさ（長さ）は、放送信号（番組）を再生する場合に適用する遅延（時間）の大きさ（長さ）よりも小さい（短い）。なお、拡張映像情報が、例えば７．１ｃｈサラウンド情報（信号）や６０ｋＨｚ程度の再現音域情報（信号）を含む場合も想定されるが、音声（音響）のデコードに必要な時間については、以下に説明する４Ｋ映像のデコードに必要な時間に比較して僅かである。但し、後段に説明するが、拡張映像情報を伴い、４Ｋ（ＵＨＤ）映像を再生中に拡張映像情報が欠損して（もしくは拡張映像情報の取得が不安定となって）、基本映像情報に基づく２Ｋ（ＨＤ）放送を再生する場合がある。この状態（２Ｋ放送を再生している状態）からもう一度拡張映像情報を取得して４Ｋ放送を再生する場合には、４Ｋ映像のデコードが完了するまでの所定の期間、音声を遅延することが好ましい。
【００３２】
主制御ブロック５１は、例えばＣＰＵ（主処理回路）５２、ＣＰＵ５２が実行する制御プログラムを保持するＲＯＭ（読出専用メモリ）５３、ＣＰＵ５２に作業エリアを提供するＲＡＭ（ランダムアクセスメモリ（ワークメモリ））５４、各種の設定情報及び制御情報等を保持するＮＶＭ（不揮発性（書き換え可能）メモリ）５５、拡張映像情報記録管理部５６、等を含む。主制御ブロック５１にはまた、操作部６１、受信部６２、通信インタフェース６３、ネットワーク制御部６４、ＵＳＢ（Universal Serial Bus）インタフェース６５、ＨＤＭＩ（（登録商標）High-definition Digital Media Interface）制御部６６、記憶装置６７、等が接続する。なお、ＵＳＢインタフェース６５には、ＵＳＢ規格に準拠する外部装置、例えばＵＳＢ接続のＨＤＤ（Hard Disk Drive、記憶装置）や、キーボード、等が接続可能である。
【００３３】
操作部６１は、ユーザによる直接操作に対応する制御コマンドを主制御ブロック５１に入力する。
【００３４】
受信部６２は、リモコン端末（リモートコントローラ）７１、あるいは携帯可能な端末装置からの指示（操作入力）に対応するコマンドを、主制御ブロック５１に入力する。
【００３５】
通信インタフェース６３は、相手方機器（通信相手方）との間で、任意の方式の通信が可能な通信ユニット８１と接続する。通信ユニット８１は、例えばＷｉＦｉ（Wireless Fidelity）規格、等に準拠する近距離無線通信機器（相手方機器）との間の無線通信を実現する。なお、近距離無線通信規格としては、例えばブルートゥース（登録商標）規格や、ＮＦＣ（Near Field Communication）等も利用可能である。また、通信ユニット８１は、例えばワイヤレスキーボードやマウス等との間の信号の受け渡しが可能である。通信ユニット８１はまた、例えば非接触通信方式のカード媒体との間の無線通信（Read / Write）が可能なカードリーダ、等であってもよい。なお、通信ユニット８１は、相手方機器と。有線方式で通信するものであってもよい。
【００３６】
ネットワーク制御部６４は、例えば外部ネットワーク（インターネット網（ネットワーク１００１）からのさまざまな情報の取得及び送信、インターネット網（ネットワーク１００１）へのアクセス、等を制御する。
【００３７】
ＵＳＢインタフェース６５は、ＵＳＢ規格に準拠する外部装置、例えばＵＳＢ接続のＨＤＤ（Hard Disk Drive、記憶装置）６９やメモリカード、あるいはキーボード、等が接続可能である。
【００３８】
ＨＤＭＩ制御部６６は、ＨＭＤＩ規格またはＭＨＬ規格を利用する機器相互間の有線通信を可能とする。
【００３９】
記憶装置６７は、受信した放送（番組）や、記憶装置６７やＵＳＢ接続のＨＤＤ６９が保持する番組に関連するさまざまな情報を保持する。
【００４０】
主制御ブロック５１（もしくはＣＰＵ５２）は、操作部６１を通じたユーザ操作（制御入力）や受信部６２が受信するリモコン７１、あるいは携帯可能な端末装置からの操作情報（制御入力）に基づいて、上述の各部要素を制御する。
【００４１】
また、主制御ブロック５１は、高精細画像復元部２０１及び信号処理部１２が出力する映像信号や音声信号等を、ユーザの操作（制御入力）に基づいて、記憶装置６７やＨＤＤ６９に記録することが可能である。記憶装置６７やＨＤＤ６９への映像信号や音声信号等の記録に際しては、主制御ブロック５１は、映像信号や音声信号等を暗号化処理し、所定の記録フォーマットに変換する。主制御ブロック５１は、ユーザによるリモコン７１等からの操作（指示入力）に基づいて、記憶装置６７やＨＤＤ６９から所望の映像信号や音声信号等を読み出し、復号し、映像出力処理ブロック２１（表示制御部２５）に供給して、映像表示や音声再生を実行する。
【００４２】
主制御ブロック５１はまた、信号処理部（ＴＳ分離部）１２が分離するＴＳから字幕情報（ニュース番組においてアンカー（アナウンサ）が発声した音声を字幕化した生字幕を含む）やＥＰＧ（電子番組表）情報を、取得できる。字幕情報やＥＰＧを取得するための手続き（手法）は、例えばＮＶＭ５５もしくはＲＯＭ５３が保持するプログラムもしくはアプリケーションあるいはＣＰＵ５２のファームウェアとして用意される。
【００４３】
拡張映像情報記録管理部５６は、主制御ブロック５１のＣＰＵ５２の制御の下、受信中の記録対象の２Ｋ放送（基本映像情報）に対応する拡張映像情報の有無を示すメタデータを、ＨＤＤ６９または記憶装置６７への受信した番組の記録時に、作成する。メタデータは、例えば、図４（ｂ）に示すように、拡張映像情報が受信している（記録できている）期間を、例えば“拡張映像情報記録情報”として記録し、管理する。図４（ｂ）が示すメタデータは、図４（ａ）が示すように、受信中の記録対象の放送について、基本映像情報が受信できている状態で拡張映像情報が受信できない（または受信が不安定となった）状態に陥った時刻ｔ０と（再び）拡張映像情報を受信できた時刻ｔ１、同じくｔ２とｔ３、同じくｔ４とｔＮ−１、を識別可能であれば、記録形式や記録順、等は任意である。
【００４４】
例えば、メタデータは、図４（ｂ）が示すように、任意の番組を受信して記録している時間内、すなわち１つの番組の放送時間内において、拡張映像情報の欠落（不安定状態）が生じた時間帯について、２Ｋ放送のみ記録あり（拡張映像情報記録なし）、として管理する。すなわち、４Ｋ映像を再生可能な拡張映像情報が受信できている時間帯について、拡張映像情報記録あり、として管理する。なお、拡張映像情報が存在しない時間の管理方法としては、例えば、記録対象番組の放送開始時間を“００分００秒”として拡張映像情報の欠落が発生した時刻と拡張映像情報の欠落が解消した時刻を管理してもよいし、記録装置において用いる時刻情報（ＰＣＲ（Program Clock Reference））を取得して、例えば“２２時２２分２２秒−２３時４５分６０秒”として管理してもよい。
【００４５】
テレビ装置１は、ユーザ指示（リモコン７１あるいは携帯可能な端末装置もしくは操作部６１からの操作入力）があった場合、主制御ブロック５１（拡張映像情報記録管理部５６）にて“識別子あるいは記述”を抽出できた場合、４Ｋ映像を記録し、再生が指示された場合に、ディスプレイ２６に、４Ｋ映像を表示できる。なお、テレビ装置１における基本的な受信設定は、実質的に２Ｋ（ＨＤ）放送信号に相当する基本映像情報を受信した場合、そのままの状態で２Ｋ（ＨＤ）放送波として利用する設定である。このため、４Ｋ放送を再生可能な拡張映像情報を受信した場合に、４Ｋ放送を再生するための各部の切り替えが必要となる。なお、４Ｋ映像を“識別子あるいは記述”が特定するチャンネルもしくは伝送路により供給される拡張映像情報と、拡張映像情報に対応する基本映像情報と、を用いて復号する構成の例は、図１１により、後段に説明する。また、リモコン端末７１が４Ｋ放送を再生可能な拡張映像情報を受信した（４Ｋ放送であることを検出した）放送局（チャンネル）が送信する４Ｋ放送のみを記録するために、例えば［４Ｋ］選択キー７１ａが設けられ、同キー７１ａがオン（押下）された場合には、原則として４Ｋ放送が送信されている放送局（チャンネル）の番組を記録するよう、設定することも可能である。
【００４６】
図３は、受信中の記録対象の２Ｋ放送（基本映像情報）に対応する拡張映像情報の有無を示すメタデータを作成する方法の一例を示す。なお、受信中の記録対象の２Ｋ放送（基本映像情報）に対応する拡張映像情報の有無は、図４（ａ）が示すように、基本映像情報が受信できている状態で拡張映像情報が受信できない（または受信が不安定となった）状態に陥った状態、を含むことがある。
【００４７】
図３において、基本映像情報である２Ｋ（ＨＤ）放送を受信し、記録（及び再生）している状態［１１］で、拡張映像情報の受信を認識できた場合、すなわち“識別子あるいは記述”を抽出できた場合［１２−ＹＥＳ］、その放送（２Ｋ（ＨＤ））に対応する拡張映像情報を取得［１３］して、ＨＤＤ６９あるいは記憶装置６７に４Ｋ放送を記録する［１４］。なお、受信中の記録対象の２Ｋ放送（基本映像情報）に対応する拡張映像情報は、図４（ａ）が示すように、基本映像情報が受信できている状態で拡張映像情報が受信できない（または受信が不安定となった）状態に陥った状態、を含むことがあることは、上述の通りである。
【００４８】
拡張映像情報が受信できないあるいは受信中に受信状態が不安定な状態に陥った場合、『４Ｋ放送が放送されていない』もしくは『受信状態が不安定である』ことを報知するアラートを、ディスプレイ２６に表示［１５］し、放送とは異なる伝送路（外部ネットワーク）において拡張映像情報が伝送されていることを検出することができる［１６］。
【００４９】
外部ネットワークにおいて拡張映像情報が伝送されていることを検出できた場合［１６−ＹＥＳ］、放送とは異なる伝送路（外部ネットワーク）において拡張映像情報を取得可能であることを、ディスプレイ２６に、アラート表示（外部ネットワークサービスの利用を推薦）する［１７］。外部ネットワークからの拡張映像情報の取得に同意が得られた場合［１７−ＹＥＳ］、拡張映像情報を取得［１３］してデコードし、４Ｋ放送を記録する［１５］。なお、拡張映像情報を外部ネットワークから取得する前にアラートを表示してユーザの同意を得ることは、例えばＶＯＤ（Video On Demand）サービス（外部ネットワーク）の利用が有料である場合、等において、ユーザの意図しない課金が発生することを抑止できる。また、ＶＯＤ（Video On Demand）サービス（外部ネットワーク）において、記録した２Ｋ放送（基本映像情報）に対応する拡張映像情報が提供されている場合、ユーザの指示に基づいて、再生時に、拡張映像情報を取得して４Ｋ映像を再生することも可能である（図１０を用いて後段に説明する）。
【００５０】
図５（ａ）及び図５（ｂ）は、ユーザが、記録済みの任意の番組を再生（視聴）しよう、と考えるであろう所定のタイミングでテレビ装置がディスプレイに表示する表示の一例を示す。なお、図５（ａ）及び図５（ｂ）は、ＨＤＤ６９（記憶装置６７）において、予め指定された所定数のチャンネルの番組を指定された時間、全ての番組を記録する全録モードを用いて録画した結果を示す、過去番組表の表示の一例を示す。
【００５１】
図５（ａ）は、記録した全ての４Ｋ放送の番組において、２Ｋ放送に対応する拡張映像情報を同時に記録できた例を示し、図５（ｂ）は、２Ｋ放送に対応する拡張映像情報が欠落した番組が含まれることを示す。
【００５２】
図５（ａ）から、全録モードで記録した番組において、複数の４Ｋ放送の番組が記録できていることを、ユーザが容易に理解（確認）できる。また、図５（ｂ）から、全録モードで記録した番組において、いくつかの４Ｋ放送の番組は、拡張映像情報が欠落した状態で記録されていることを、ユーザが容易に理解（確認）できる。なお、図５（ｂ）から、
例えば、１ｃｈの１０時台の番組Ａ１を再生しようとした場合、図１０により後段に説明するように、放送とは異なる伝送路（外部ネットワーク）において拡張映像情報の取得が可能であった場合、拡張映像情報を取得して４Ｋ映像を視聴したい、ユーザが考えることを期待できる（ユーザに、ＶＯＤ（Video On Demand）サービスを利用して、４Ｋ映像を視聴してもらう機会を提供できる）。
【００５３】
図６は、ユーザが、記録済みの任意の番組、例えばタイトルＡを選択し、タイトルＡを再生（視聴）しよう、と考えるであろうタイミングにおいてテレビ装置１が表示する記録番組リスト（録画済番組表）の表示の一例を示す。
【００５４】
図６が示す画面表示６０１において、ユーザが、タイトルＡの番組表示にフォーカスをあてると、プレビュー画像表示領域６１１に、タイトルＡのプレビュー画像を表示する。
【００５５】
画面表示６０１は、例えば、表示モード（アスペクト比、ジャンル、音声モード、等）を表示する表示領域６４１、４Ｋ放送の番組において、番組の時間長に対して４Ｋ映像を再生可能とする拡張映像情報が記録できている区間（時間帯）や、現在の再生位置（番組開始からの経過時間）、等を表すタイムバー６２１を含む。
【００５６】
タイムバー６２１は、記録されている番組中で４Ｋ映像を再生可能とする拡張映像情報が欠落している区間、すなわち２Ｋ放送に対応する拡張映像情報を同時に記録できている区間を、ユーザが一見して理解（確認）できるために有益である。
【００５７】
図７は、ユーザが記録済みの任意の番組を選択し、再生（視聴）している番組に対し、４Ｋ映像を再生可能とする拡張映像情報を、２Ｋ放送（基本映像情報）ともに記録できている区間を表示する例を示す。なお、図７が示す画面表示７０１は、例えばスロー再生や早送り再生、等の特殊再生においても適用できる。
【００５８】
図７が示す画面表示７０１は、画面表示７０１内の所定の位置、画面の上下方向であって、例えば１／４よりも下方に、現在の再生位置（番組開始からの経過時間）や、例えば「早送り」、「通常再生」、「スロー再生」、「一時停止」、「再生時間情報（番組開始からの経過時間）」、等の動作状態、等を表す再生状態表示領域７１１を含む。再生状態表示領域７１１は、動作状態を、予め決められたマーク、あるいはアイコン（ｉｃｏｎ）もしくは記号、等により表示する動作状態表示領域７２１、現在の再生位置をタイムバー上に、可視化して示すロケータ７２２、等を含む。なお、タイムバーは、２Ｋ放送に対応する拡張映像情報を同時に記録できている区間を、ユーザが一見して理解（確認）できるよう、２Ｋ放送のみが記録できている区間と、識別可能に表示する。
【００５９】
図８は、図５（ａ）及び図５（ｂ）により説明した、全録モードとは異なる録画済番組リストの表示例を示す。
【００６０】
図８が示す画面表示８０１は、記録した番組を所定の順に表示する複数の表示領域８１１−８１５を含む。なお、より多くの番組が記録されている場合には、表示切替タブ８１６を、さらに表示する。表示タブ８１６をオン（リモコン７１によりフォーカスをあて／リモコン７１によりカーソルを移動して）決定ボタン８１７に対するオン信号を指示入力（リモコン７１側の決定キーをオン）することにより、図の例では、６番目以降の記録済の番組を表示する。
【００６１】
また、図８が示す録画済番組リストの画面表示８０１においては、例えば２Ｋ放送に対応する拡張映像情報を同時に記録できている番組を示す表示領域に、４Ｋ映像を再生可能であることを示す、［４Ｋ］あるいは［拡張］表示８２１を表示する。なお、［４Ｋ］あるいは［拡張］表示８２１は、２Ｋ放送に対応する拡張映像情報を、番組の全ての区間において取得できている番組についてのみ、表示することが好ましい。その場合、図８が示す表示例は、４Ｋ放送を再生できる記録済み番組リスト、として利用可能となり、ユーザの利便性を、一層、高めることができる。
【００６２】
図９は、記録済みの番組を再生する方法の一例を示す。
【００６３】
記録されている番組の再生指示を受けつける［２１］と、４Ｋ放送（記録済み映像）の再生が求められているか否かを判断する［２２］。４Ｋ放送（記録済み映像）の再生が求められていない場合［２２−ＮＯ］は、そのまま２Ｋ放送を記録した記録済み映像を再生する［２８］。
【００６４】
４Ｋ放送（記録済み映像）の再生が求められている場合［２２−ＹＥＳ］、図４（ｂ）が示すメタデータを参照して、４Ｋ映像を再生可能とする拡張映像情報が、再生しようとしている２Ｋ放送に対応して記録されているか否か（拡張映像情報）が記録されているか否かがチェックされる［２３］。
【００６５】
再生しようとしている２Ｋ放送に対応する拡張映像情報が記録されている場合［２３−ＹＥＳ］、基本映像情報（２Ｋ映像）と拡張映像情報とを用いて４Ｋ映像を再現し、表示する［２４］。
【００６６】
基本映像情報（２Ｋ映像）と拡張映像情報とを用いて４Ｋ映像を再現し、表示している状態で、メタデータから拡張映像情報が記録されていない区間を再生する場合［２４］−［２５−ＮＯ］−［２３−ＮＯ］、拡張映像情報が記録されていない区間については２Ｋ放送を再生［２６］し、次に拡張映像情報が記録されている区間を検出するまで［２７−ＮＯ］−［２８］−［２５−ＮＯ］−［２６］、２Ｋ映像を再生する。
【００６７】
次に拡張映像情報が記録されている区間を検出した場合［２７−ＹＥＳ］、基本映像情報（２Ｋ映像）と拡張映像情報とを用いて４Ｋ映像を再現し、表示する［２４］。
【００６８】
以降、再生対象の番組の全ての区間（記録内容）の再生が終了したことを検出する［２５−ＹＥＳ］まで、２Ｋ映像のみの再生と基本映像情報（２Ｋ映像）と拡張映像情報とを用いる４Ｋ映像の再現を、繰り返す。
【００６９】
図１０は、記録済みの番組を再生する方法の別の一例を示す。
【００７０】
記録されている番組の再生指示を受けつける［２１］と、４Ｋ放送（記録済み映像）の再生が求められているか否かを判断する［２２］。４Ｋ放送（記録済み映像）の再生が求められていない場合［２２−ＮＯ］は、そのまま２Ｋ放送を記録した記録済み映像を再生する［３１］。
【００７１】
４Ｋ放送（記録済み映像）の再生が求められている場合［２２−ＹＥＳ］、図４（ｂ）が示すメタデータを参照して、４Ｋ映像を再生可能とする拡張映像情報が、再生しようとしている２Ｋ放送に対応して記録されているか否か（拡張映像情報）が記録されているか否かがチェックされる［２３］。
【００７２】
拡張映像情報が記録されていない場合［２３−ＮＯ］、『４Ｋ映像を再生可能とする拡張映像情報が記録されていない』ことを報知するアラートをディスプレイ２６に表示［３４］し、放送とは異なる伝送路（外部ネットワーク）において拡張映像情報が伝送されていることを検出することができる［３５］。
【００７３】
外部ネットワークにおいて拡張映像情報が伝送されていることを検出できた場合［３５−ＹＥＳ］、放送とは異なる伝送路（外部ネットワーク）において拡張映像情報を取得可能であることを、ディスプレイ２６に、アラート表示（外部ネットワークサービスの利用を推薦）する［２６］。外部ネットワークからの拡張映像情報の取得に同意が得られた場合［２７−ＹＥＳ］、拡張映像情報を取得［３２］してデコードし、４Ｋ放送を再生する［３３］。なお、拡張映像情報を外部ネットワークから取得する前にアラートを表示してユーザの同意を得ることは、例えばＶＯＤ（Video On Demand）サービス（外部ネットワーク）の利用が有料である場合、等において、ユーザの意図しない課金が発生することを抑止できる。
【００７４】
このように、記録済みの番組を再生する際に、４Ｋ映像を再生可能とする拡張映像情報の取得状況を示すデータとして用意したメタデータを参照することで、番組の記録時に、番組の時間長に対して一部分しか拡張映像情報を取得できていない（拡張映像情報が記録されていない）場合であっても、拡張映像情報を別の伝送路から取得して４Ｋ映像を再生することができる。また、メタデータを参照することで、２Ｋ映像に比較してデコードに時間を必要とする４Ｋ映像のデコード開始のタイミングを設定することで、４Ｋ映像の再生開始時間を短縮できる。なお、４Ｋ映像を再生可能とする拡張映像情報の欠落が、複数個所存在するような場合においても、２Ｋ映像に引き続いて再生すべき４Ｋ映像の再生タイミングを、メタデータを参照することにより、２Ｋ映像の再生タイミングに合わせて先行することができる。これにより、２Ｋ映像−４Ｋ映像の切り替わり点が含まれるような記録済み番組を再生する場合において、切り替え時に画像の途切れ（黒画面表示や直前のフレームの画像が静止した静止画など）が発生することを低減できる。
【００７５】
図１１は、４Ｋ（ＵＨＤ）映像を、“識別子あるいは記述”が特定するチャンネルもしくは伝送路により供給される拡張映像情報と、拡張映像情報に対応する基本映像情報と、を用いて復号するための構成の一例を示す。なお、基本映像情報及び拡張映像情報は、基映像（番組）を、４Ｋ放送信号として送信する際に、送信側（放送局／配信局）にて、予め用意される。基本映像情報は、実質的にＨＤ放送信号に相当し、受信した場合、そのままの状態でＨＤ放送波として利用である。拡張映像情報は、基本映像情報と同時に用いることで４Ｋ映像及び音響（音声）を再現可能な付属情報であり、例えば７．１ｃｈサラウンド情報（信号）や６０ｋＨｚ程度の再現音域情報（信号）を含む場合がある。
【００７６】
図１１が示すように、テレビ装置１の信号処理部１２は、拡張映像情報を処理し、拡張映像情報に対応する基本映像と拡張映像情報とにより４Ｋ映像を再生する高精細画像復元部２０１を含む。
【００７７】
高精細画像復元部２０１は、入力部１１で選局された放送信号に復号処理を施し、映像信号、音声信号、字幕／文字スーパー情報及び番組関連情報、等を復元する。なお、第１の信号処理部２０３及び第２の信号処理部２０５において、システム時刻基準値ＳＴＣ（System Time Clock）は、共通である。
【００７８】
高精細画像復元部２０１は、第１の信号処理部２０３への基本映像情報（ＨＤＴＶ信号）が入力する入力端子２６０及び伝送路復号部２６１、第２の信号処理部２０５への拡張映像情報が入力する入力端子２８０及び伝送路復号部２８１を、少なくとも含む。
【００７９】
高精細画像復元部２０１はまた、第１のデコーダ（ＭＰＥＧ−２デコーダ）２７０、アップコンバータ２７４、バッファメモリ２７６、クロック再生制御部２７８及び出力セレクタ（映像出力切り替え部）２９８、等を備える。なお、高精細画像復元部２０１は、主制御ブロック５１のＣＰＵ５２の制御により動作する。すなわち、ＣＰＵ５２は、第１のデコーダ２７０、アップコンバータ２７４、バッファメモリ２７６、クロック再生制御部２７８及び出力セレクタ２９８、等を制御する。
【００８０】
高精細画像復元部２０１において、入力端子２６０に入力する基本映像情報は、伝送路復号部２６１に、入力端子２８０に入力する拡張映像情報は、伝送路復号部２８１に、それぞれ入力する。伝送路復号部２６１及び２８１は、基本映像情報及び拡張映像情報を、それぞれ復調し、伝送路復号処理によって復号する。伝送路復号部２６１及び２８１は、復号した信号（第１のＴＳ信号及び第２のＴＳ信号）を出力する。
【００８１】
クロック再生制御部２７８は、復号のタイミングを同期するための第２のクロック情報を生成し、第２の多重化分離部２８４から取得した時間情報を出力する。また、クロック再生制御部２７８は、ＳＴＣが共通であるため、ＰＣＲ（Program Clock Reference）に基づいて、第１のデコーダ２７０及び第２のデコーダ（ＳＨＶＣデコーダ）２９２（第２の信号処理部２０５側）の同期を制御する。
【００８２】
アップコンバータ２７４は、基本映像情報として供給される２Ｋ映像の解像度、画面サイズ及び色帯域をアップコンバートする。すなわち、アップコンバータ２７４は、デコーダ２７０が復号する映像信号（第２の復号映像信号）をアップコンバートし、アップコンバートによって生成された映像信号（第２の拡大復号映像）信号を生成し、生成した第２の拡大復号映像を出力する。例えば、アップコンバータ２７４は、２Ｋ映像信号（ＨＤ映像）の解像度を、４Ｋ映像信号（第２の拡大４Ｋ映像信号）の解像度に変換する。
【００８３】
バッファメモリ２７６は、各種信号や第２の拡大４Ｋ映像信号を、一時的に保持する。
【００８４】
出力セレクタ２９８は、ＳＴＣに基づいて、第１の信号処理部２０３のデコーダ２７０がデコードした２Ｋ映像（ＨＤ映像）または第２の信号処理部２０５のＳＨＶＣデコーダ２７８がデコードした４Ｋ映像（ＵＨＤ映像）の一方を、出力する。なお、出力セレクタ２９８は、音声及び番組表、等を含む情報（データ）を、出力する映像に対応させて出力することもできる。出力セレクタ２９８はまた、選択された映像信号（選択映像信号）を表示制御部２５へ出力する。このとき、選択映像信号を識別するための選択情報も、出力する。
【００８５】
出力セレクタ２９８が出力する選択映像信号は、表示制御部２５において、ＯＳＤ処理部２４からのＯＳＤ出力を重畳し、表示制御部２５がディスプレイ２６または出力端２７に供給する。
【００８６】
第１の信号処理部２０３は、より具体的には、入力端子２６０からの第１のＴＳ信号を第１の表示信号、すなわち２Ｋ映像信号に復号する。第２の信号処理部２０５は、入力端子２８０からの第２のＴＳ信号（４Ｋ映像に対応する拡張映像情報）を第２の表示信号に復号する。なお、第２の信号処理部２０５は、より具体的には、第１のＴＳ信号（２Ｋ映像信号）と第２のＴＳ信号とから第２の高画質映像信号（４Ｋ映像信号）を復号する。
【００８７】
第１の信号処理部２０３は、より詳細には、第１の多重化分離部２６４、第１のデスクランブラ２６６、第１のＥＣＭ／ＥＭＭ処理部２６８、第１の（基本映像）デコーダ２７０及びＰＳＩ／ＳＩ処理部２７２を、少なくとも含む。
【００８８】
第１の多重化分離部２６４は、入力された基本映像情報を、各種情報や制御信号、及び映像信号に分離する。なお、第１の多重化分離部２６４は、主制御ブロック５１（ＣＰＵ５２）が設定するフィルタ条件を満たす信号のみを取り込むＰＩＤフィルタ２６５を備える。第１の多重化分離部２６４は、ＣＰＵ５２の制御に基づいて、ＰＩＤフィルタ２６５の値を設定する。
【００８９】
第１の多重化分離部２６４は、ＰＩＤフィルタ２６５により、例えばＰＡＴ（Program Association Table、すなわち“ＰＩＤ＝０”のＰＳＩ）を取り出し、ユーザ操作（制御入力）によって指定されるコンテンツのＰＭＴ（Program Map Table）を特定するＰＩＤを取り出す。第１の多重化分離部２６４は、このＰＩＤで指定されたＰＭＴが特定する映像信号を取り出して、取り出された映像信号及び時間情報信号を出力する。
【００９０】
第１のＥＣＭ／ＥＭＭ処理部２６８は、第１の多重化分離部２６４が分離した制御情報のＥＣＭ及びＥＭＭからスクランブル鍵を取り出す。詳細には、第１のＥＣＭ／ＥＭＭ処理部２６８は、暗号化されたＥＭＭを、テレビ装置１に関連して用意されている固有の鍵で復号し、復号したＥＭＭ（Entitlement Management Message）からワーク鍵を取り出す。次に、第１のＥＣＭ／ＥＭＭ処理部２６８は、ワーク鍵を用いてＥＣＭ（Entitlement Control Message）を復号し、復号したＥＣＭからスクランブル鍵を取り出す。
【００９１】
第１のデスクランブラ２６６は、第１の多重化分離部２６４が出力する映像信号の暗号化処理を解除する。すなわち、第１のデスクランブラ２６６は、送信側においてスクランブル鍵で処理された各種信号の暗号化処理を解除する。なお、暗号化処理規則は、一例であるが、ＭＵＬＴＩ２またはそれに準じる処理規則であることが好ましい。
【００９２】
第１のデコーダ２７０は、第１の多重化分離部２６４が分離した（伝送のために）パケット化されている映像信号（２Ｋ放送）を復号（デコード）する。第１のデコーダ２７０は、送信側で用いる符号化形式、例えばＭＰＥＧ（Moving Picture Experts Group）−２を用いて映像信号を復号し、復号した２Ｋ映像信号を出力する。
【００９３】
ＰＳＩ／ＳＩ処理部２７２は、ＣＰＵ５２（主制御ブロック５１）による制御に基づいて、番組特定情報（ＰＳＩ）及びサービス情報（ＳＩ）を処理し、ＰＳＩ及びＳＩ等に関連する情報（データ）を出力する。ＰＳＩ／ＳＩ処理部２７２は、ＣＰＵ５２による制御により抽出したＥＳ（Elementary Stream）に基づいて、選局する映像信号及び表示タイミング等を含む選局手順及び表示可能なコンテンツを規定する選局リスト（選局情報）を生成する。ここで、選局リストは、選局対象となる複数の表示信号の選局の手順（タイミング）、及び指示等の選局を制御するための情報である。ＰＳＩ／ＳＩ処理部２７２は、第１の多重化分離部２６４、第２の多重化分離部２８４及び出力セレクタ２９８と信号の送受信をする。
【００９４】
第２の信号処理部２０５は、より詳細には、第２の多重化分離部２８４、第２のＥＣＭ／ＥＭＭ処理部２８６、第２のデスクランブラ２８８、ＰＳＩ／ＳＩ処理部２９０及び第２のデコーダ（ＳＨＶＣデコーダ）２９２を、少なくとも備える。
【００９５】
第２の多重化分離部２８４は、入力された拡張映像情報を、各種情報や制御信号、及び映像信号に分離する。第２の多重化分離部２８４はまた、拡張映像情報が含む時間情報をクロック再生制御部２７８に出力する。なお、第２の多重化分離部２８４は、制御ブロック５１（ＣＰＵ５２）が設定するフィルタ条件を満たす信号のみを取り込むＰＩＤフィルタ２８５を備える。第２の多重化分離部２８４は、ＣＰＵ５２の制御に基づいて、ＰＩＤフィルタ２８５の値を設定する。
【００９６】
第２の多重化分離部２８４は、ＰＩＤフィルタ２８５により、ＰＳＩからＰＡＴを取り出し、ユーザ操作（制御入力）によって指定されるコンテンツのＰＭＴのＰＩＤを取り出し。第２の多重化分離部２８４は、このＰＩＤで指定されたＰＭＴが特定する映像信号を取り出して、取り出された映像信号及び時間情報信号を出力する。
【００９７】
第２のＥＣＭ／ＥＭＭ処理部２８６は、第２の多重化分離部２８４が分離した制御情報のＥＣＭ及びＥＭＭからスクランブル鍵を取り出す。詳細には、第２のＥＣＭ／ＥＭＭ処理部２８６は、暗号化されたＥＭＭを、テレビ装置１に関連して用意されている固有の鍵で復号し、復号したＥＭＭからワーク鍵を取り出す。次に、第２のＥＣＭ／ＥＭＭ処理部２８６は、ワーク鍵を用いてＥＣＭを復号し、復号したＥＣＭからスクランブル鍵を取り出す。
【００９８】
第２のデスクランブラ２８８は、第２の多重分離部２８４が出力する映像信号の暗号化処理を解除する。すなわち、第２のデスクランブラ２８８は、送信側においてスクランブル鍵で処理された各種信号の暗号化処理を解除する。なお、暗号化処理規則は、一例であるが、ＡＥＳ（Advanced Encryption Standard）またはそれに準じる処理規則であることが好ましい。
【００９９】
ＰＳＩ／ＳＩ処理部２９０は、ＣＰＵ５２（主制御ブロック５１）による制御に基づいて、番組特定情報（ＰＳＩ）及びサービス情報（ＳＩ）を処理し、ＰＳＩ及びＳＩ等に関連する情報（データ）を出力する。ＰＳＩ／ＳＩ処理部２９０は、ＣＰＵ５２による制御により抽出したＥＳ（Elementary Stream）に基づいて、選局する映像信号及び表示タイミング等を含む選局手順及び表示可能なコンテンツを規定する選局リスト（選局情報）を生成する。ここで、選局リストは、選局対象となる複数の表示信号の選局の手順（タイミング）、及び指示等の選局を制御するための情報である。ＰＳＩ／ＳＩ処理部２９０は、第１の多重化分離部２６４、第２の多重化分離部２８４及び出力セレクタ２９８と信号の送受信をする。
【０１００】
ＳＨＶＣデコーダ（第２のデコーダ）２９２は、第２の多重化分離部２８４が分離した（伝送のために）パケット化されている映像信号（拡張映像情報）を復号（デコード）する。すなわち、ＳＨＶＣデコーダ２９２は、スケーラブル符号化（ＳＨＶＣ（ＭＰＥＧ−ＨＥＶＣ  Ｖｉｄｅｏ）符号化）された映像信号である拡張映像情報を復号する。また、ＳＨＶＣデコーダ２９２は、拡張映像情報を復号した４Ｋ映像の基となる映像信号と第１のデコーダ２７０がデコードし、アップコンバータ２７４がアップコンバージョンした映像信号すなわち第２の拡大復号映像とにより、ＵＨＤ（超高精細度、例えば４Ｋの）映像信号を生成し、セレクタ２９８に出力する。
【０１０１】
なお、ＳＨＶＣデコーダ２９２が出力する４Ｋ（ＵＨＤ）映像は、ＳＨＶＣデコーダ２９２の後段に位置するメタデータ処理部２９４及び高画質化処理部２９６が高画質化処理する。例えば、メタデータ処理部２９４は、送信側において、基本映像情報と拡張映像情報とを分離する際に拡張映像情報に付属させた情報であって、基本映像情報を高画質化するための、例えばコントラスト、色帯域あるいは諧調特性、等のグレーディング処理のためのグレーディング情報を生成する（復元する）。また、高画質化処理部２９６は、グレーティング情報に基づいて、ＳＨＶＣデコーダ２９２が出力するＵＨＤ（例えば４Ｋの）映像信号をグレーティングすることによって高画質化することができる。
【０１０２】
なお、第１のＰＳＩ／ＳＩ処理部２７２及び第２のＰＳＩ／ＳＩ処理部２９０は、基本映像情報及び拡張映像情報のそれぞれに対して送信側で用意したＰＳＩ／ＳＩに基づき、第１の多重化分離部２６４、第２の多重化分離部２８４及び出力セレクタ２９８との間の映像信号（基本映像情報及び拡張映像情報）を送受信する。すなわち、出力セレクタ２９８は、ディスプレイ２６（または出力端２７）に出力する映像信号を、基本映像情報に基づく２Ｋ（ＨＤ）映像とするか、拡張映像情報に基づく４Ｋ（ＵＨＤ）映像とするかを、第１のＰＳＩ／ＳＩ処理部２７２及び第２のＰＳＩ／ＳＩ処理部２９０が含むＥＳを参照して、選択する。なお、送信側で用意するＰＳＩ／ＳＩが基本映像情報及び拡張映像情報のそれぞれにおいて共通化されている場合、第１のＰＳＩ／ＳＩ処理部２７２及び第２のＰＳＩ／ＳＩ処理部２９０の何れか一方で受信したＰＳＩ／ＳＩを読み出すことで、例えば４Ｋ映像のデコード開始タイミングを早めることが可能となる。例えば、基本映像情報のＰＳＩ／ＳＩに、拡張映像情報が用意されていること示す“識別子あるいは記述”が含まれている場合、“識別子あるいは記述”を読み出した時点で４Ｋ映像のデコードを開始することで、デコード後の４Ｋ映像が出力されるまでの時間を低減できる。
【０１０３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０４】
１…テレビ装置（電子機器）、１１…入力部、１２…信号処理部、２３…映像出力処理ブロック、３１…音声処理ブロック、５１…主制御ブロック、５２…ＣＰＵ、５６…拡張映像情報記録管理部、６７…記憶装置、６９…ＨＤＤ（記憶装置）、７１…リモコン端末（指示機構）、８１…通信ユニット（近距離無線通信部）、２０１…高精細画像復元部、２０３…第１の信号処理部、２０５…第２の信号処理部、２７０…第１のデコーダ（ＭＰＥＧ−２デコーダ）、２７２…ＰＳＩ／ＳＩ処理部、２７４…アップコンバータ、２７６…バッファメモリ、２９０…ＰＳＩ／ＳＩ処理部、２９２…第２のデコーダ（ＳＨＶＣデコーダ）、２９４…メタデータ処理部、２９６…高画質化処理部、２９８…セレクタ。
【図１】
2016123008.tif 000003
【図２】
2016123008.tif 000004
【図３】
2016123008.tif 000005
【図４】
2016123008.tif 000006
【図５】
2016123008.tif 000007
【図６】
2016123008.tif 000008
【図７】
2016123008.tif 000009
【図８】
2016123008.tif 000010
【図９】
2016123008.tif 000011
【図１０】
2016123008.tif 000012
【図１１】
2016123008.tif 000013